(57)【要約】      （修正有）【課題】フックから離間した位置から玉掛け玉外し作業をおこなうことができる玉外し治具を提供する。【解決手段】先端側が離間して基端側で接続されるように略並行な２本の掛け渡し部１２，１３と、これら２本の掛け渡し部の先端と基端との中間位置から掛け渡し部と交差する方向にそれぞれ略並行として突出するストッパ部１４，１５と、掛け渡し部と略同方向として基端側に延在する把持部１１とが設けられる。【選択図】図１
0003201261.tif 000002
【実用新案登録請求の範囲】
【請求項１】
フックにスリングを玉掛けする治具であって、
先端側が離間して基端側で接続されるように略並行な２本の掛け渡し部と、これら２本の掛け渡し部の先端と基端との中間位置から前記掛け渡し部と交差する方向にそれぞれ略並行として突出するストッパ部と、前記掛け渡し部と略同方向として基端側に延在する把持部とが設けられ、
前記ストッパ部と前記掛け渡し部の先端側との為す角が鋭角とされ、
前記２本の掛け渡し部のうち一方の先端には、他方の掛け渡し部よりも長くなるように延在するフック位置調整部が設けられていることを特徴とする玉掛け治具。
【請求項２】
前記フック位置調整部の先端には、前記スリングを拾い上げるための拾い上げ部が設けられてなることを特徴とする請求項１記載の玉掛け治具。
【請求項３】
フックに掛かったスリングを玉外しする治具であって、
基端側に延在する把持部と、先端側に位置して前記把持部の延在する方向と交差する横方向の両側にそれぞれ突出するスリング掻き出し部と、外れ止め押さえ部とが設けられ、
前記スリング掻き出し部が、前記把持部の延在する方向に離間して前記把持部から略並行に突出し、それぞれ対向する内側部分が前記フックの側面部に沿って移動されることで前記フックに掛かった前記スリングをそれぞれ前記フックの側面部に沿って外す掻き出し部と、これらの掻き出し部の間でフックの内面部に当接して摺動可能とされる摺動部とからなる平面視凹字状となる板状とされ、
前記外れ止め押さえ部が、前記把持部の延在する方向に面を有する枚葉状とされて、前記把持部に対して前記スリング掻き出し部と逆側に突出する可撓性を有するシート状とされることを特徴とする玉外し治具。
【請求項４】
前記把持部の延在する方向に突出するフック位置調整部が先端に設けられてなることを特徴とする請求項３記載の玉外し治具。
【請求項５】
請求項１または２記載の玉掛け治具の前記ストッパ部よりも基端側に、請求項３または４記載の玉外し治具の前記スリング掻き出し部と前記外れ止め押さえ部が設けられたことを特徴とする玉掛け玉外し治具。
【考案の詳細な説明】
【技術分野】
【０００１】
本考案は、玉掛け治具、玉外し治具、玉掛け玉外し治具に係り、特に、重量物を運搬するトラックの荷台等における玉掛け玉外し作業に用いて好適な技術に関する。
【背景技術】
【０００２】
従来、クレーン等の玉掛け作業においては、吊り荷に掛け回された玉掛け用のスリング（繊維ロープ、ナイロンスリング、ワイヤロープ等の場合もある。以下、これらを総称して「スリング」と記す。）をクレーンフックに掛けたり、地切りや着地の際に吊り荷の振れを止めたり吊り荷の位置決めをするために、作業者が皮手袋等をはめた手でスリングあるいは吊り荷を直接掴んで吊り荷を案内していた。このような作業を行う際には、吊り荷とスリングとの間に指が挟まれる危険性があるため、スリングを掴む掴み治具を介して間接的にスリングを掴んで玉掛けすることが行われている。
【０００３】
上述の掴み治具の例として、特許文献１には玉掛けワイヤ掴み機が記載されている。この玉掛けワイヤ掴み機によれば、把手を引いたり離したりすることで玉掛けワイヤ（スリング）を掴んだり開放したりすることができ、離れた位置で吊り荷の案内をすることができる。
【０００４】
また、特許文献２にはフツク外れ止め装置が記載されている。特許文献３、４にはクレーンフックの自動玉外し装置が記載されている。これらの特許文献２〜４に記載されるように、事故防止のために外れ止めがフックに装備されていることがあるが、この場合、遠隔操作可能とされていればよいが、自動化されていない現場も存在し、このような場合には、作業者がフックまで近寄る必要がある。
【先行技術文献】
【特許文献】
【０００５】
【特許文献１】実開平４−３２８８３号公報
【特許文献２】実開平５−１２４７６号公報
【特許文献３】実開平２−４９９７９号公報
【特許文献４】実開平２−４９９８０号公報
【考案の概要】
【考案が解決しようとする課題】
【０００６】
しかしながら、玉掛け玉外し作業を行う際に、作業者は玉掛け玉外しするためのスリングをクレーンフックに掛けるために管材等の製品の上部に乗ることがあるが、特許文献１に記載の玉掛けワイヤ掴み機では、吊り荷に乗らずにスリングをクレーンフックに掛けるためには手を伸ばす必要があり、作業者の姿勢が不安定になるという問題があった。さらにこの玉掛けワイヤ掴み機は片手で握って操作するものであるため、吊り荷やスリングが移動した際にこの玉掛けワイヤ掴み機が固定掴み部を支点にして揺動してしまいスリングを把持し損ねる場合や、吊り荷の移動を修正しきれない場合があるという問題があった。
【０００７】
さらに、図１３に示すように、トラックの荷台上などで玉掛け玉外し作業をおこなう場合には、作業者の自由に動けるスペースが狭く、荷台から転落しないようにすると作業効率が低下するという問題があった。また、フックに装備された外れ止めが自動化されていない場合には、吊り荷が管材等の崩れやすいものであっても製品の上部に乗って作業する必要があり、安全管理上、このような作業を改善したいという要求があった。
【０００８】
本考案は、上述した事情に鑑みてなされたものであって、その目的は、フックに装備された外れ止めが自動化されていない場合であっても、吊り荷に掛け回されたスリングを吊り荷に乗らず離れた位置から確実に掴んで玉掛け玉外しすることができる玉掛け治具、玉外し治具、玉掛け玉外し治具を提供することにある。
【課題を解決するための手段】
【０００９】
本考案の玉掛け治具は、フックにスリングを玉掛けする治具であって、
先端側が離間して基端側で接続されるように略並行な２本の掛け渡し部と、これら２本の掛け渡し部の先端と基端との中間位置から前記掛け渡し部と交差する方向にそれぞれ略並行として突出するストッパ部と、前記掛け渡し部と略同方向として基端側に延在する把持部とが設けられ、
前記ストッパ部と前記掛け渡し部の先端側との為す角が鋭角とされ、
前記２本の掛け渡し部のうち一方の先端には、他方の掛け渡し部よりも長くなるように延在するフック位置調整部が設けられていることにより上記課題を解決した。
本考案において、前記フック位置調整部の先端には、前記スリングを拾い上げるための拾い上げ部が設けられてなることがより好ましい。
本考案の玉外し治具は、フックに掛かったスリングを玉外しする治具であって、
基端側に延在する把持部と、先端側に位置して前記把持部の延在する方向と交差する横方向の両側にそれぞれ突出するスリング掻き出し部と、外れ止め押さえ部とが設けられ、
前記スリング掻き出し部が、前記把持部の延在する方向に離間して前記把持部から略並行に突出し、それぞれ対向する内側部分が前記フックの側面部に沿って移動されることで前記フックに掛かった前記スリングをそれぞれ前記フックの側面部に沿って外す掻き出し部と、これらの掻き出し部の間でフックの内面部に当接して摺動可能とされる摺動部とからなる平面視凹字状となる板状とされ、
前記外れ止め押さえ部が、前記把持部の延在する方向に面を有する枚葉状とされて、前記把持部に対して前記スリング掻き出し部と逆側に突出する可撓性を有するシート状とされることが可能である。
また、本考案において、前記把持部の延在する方向に突出するフック位置調整部が先端に設けられてなる手段を採用することもできる。
本考案の玉掛け玉外し治具においては、上記の玉掛け治具の前記ストッパ部よりも基端側に、上記の玉外し治具の前記スリング掻き出し部と前記外れ止め押さえ部が設けられたことができる。
【００１０】
本考案の玉掛け治具は、フックにスリングを玉掛けする治具であって、
先端側が離間して基端側で接続されるように略並行な２本の掛け渡し部と、これら２本の掛け渡し部の先端と基端との中間位置から前記掛け渡し部と交差する方向にそれぞれ略並行として突出するストッパ部と、前記掛け渡し部と略同方向として基端側に延在する把持部とが設けられ、
前記ストッパ部と前記掛け渡し部の先端側との為す角が鋭角とされ、
前記２本の掛け渡し部のうち一方の先端には、他方の掛け渡し部よりも長くなるように延在するフック位置調整部が設けられていることにより、２本の掛け渡し部にスリングを掛け渡すとともにストッパ部でスリング位置を規制した状態で、かつ、フック位置調整部によりフックの鉛直軸周りの回転を押さえた状態として、掛け渡し部の先端側との為す角が鋭角とされたストッパ部によってスリングに対して下方向の力を印加可能な状態で玉掛け治具を下側に移動することで、２本の掛け渡し部の間をフックが通過するようにして、外れ止めの着いたフックであっても、外れ止めを開いてフックにスリングをフックに掛けた後、ストッパ部によるスリングの係止を外すように玉掛け治具を後退移動することで、スリングを玉掛けすることができる。このとき、把持部の長さ分だけフックから離間した位置に作業者が立っていても、玉掛け作業を可能とすることができる。
【００１１】
本考案において、前記フック位置調整部の先端には、前記スリングを拾い上げるための拾い上げ部が設けられてなることにより、玉掛けするスリングを拾い上げ部で片方の掛け渡し部に掛けた後、もう一方の掛け渡し部がスリングの輪の中に入るようにストッパ部の位置までスリングを移動して、把持部を中心軸として玉掛け治具を回転することにより、２本の掛け渡し部にスリングを掛け渡すことが容易に可能となる。これにより、把持部の長さ分だけ拾い上げるスリングから離間した位置に作業者が立っていても、玉掛け作業を可能とすることができる。これにより、トラックの荷台等から離間した位置より、スリングを拾い上げて玉掛け作業をおこなうことが容易となる。
【００１２】
本考案の玉外し治具は、フックに掛かったスリングを玉外しする治具であって、
基端側に延在する把持部と、先端側に位置して前記把持部の延在する方向と交差する横方向の両側にそれぞれ突出するスリング掻き出し部と、外れ止め押さえ部とが設けられ、
前記スリング掻き出し部が、前記把持部の延在する方向に離間して前記把持部から略並行に突出し、それぞれ対向する内側部分が前記フックの側面部に沿って移動されることで前記フックに掛かった前記スリングをそれぞれ前記フックの側面部に沿って外す掻き出し部と、これらの掻き出し部の間でフックの内面部に当接して摺動可能とされる摺動部とからなる平面視凹字状となる板状とされ、
前記外れ止め押さえ部が、前記把持部の延在する方向に面を有する枚葉状とされて、前記把持部に対して前記スリング掻き出し部と逆側に突出する可撓性を有するシート状とされることにより、スリング掻き出し部をフックの開口から挿入して外れ止め押さえ部によってフックの外れ止めを開いた状態で、摺動部をフックの内面部に当接した状態で把持部を回転中心として、掻き出し部をフックの側面部に沿って移動させることにより、フックに掛かったスリングをフックから外すことができる。これにより、外れ止めの着いたフックであっても、外れ止めに直接作業員が触ることなく、スリングを玉外しすることができる。このとき、把持部の長さ分だけフックから離間した位置に作業者が立っていても、玉外し作業を可能とすることができる。
【００１３】
また、本考案において、前記把持部の延在する方向に突出するフック位置調整部が先端に設けられてなることにより、フック位置調整部によりフックの鉛直軸周りの回転を押さえた状態として、スリング掻き出し部をフックの開口から挿入して外れ止め押さえ部によってフックの外れ止めを開いた状態とすることが容易になる。同時にこのフック位置調整部により、スリングを拾い上げる、あるいは、スリングの位置を微調整する等の作業を効率よくおこなうことが可能となる。
【００１４】
本考案の玉掛け玉外し治具においては、上記の玉掛け治具の前記ストッパ部よりも基端側に、上記の玉外し治具の前記スリング掻き出し部と前記外れ止め押さえ部が設けられたことにより、玉掛け作業において、２本の掛け渡し部にスリングを掛け渡すとともにストッパ部でスリング位置を規制した状態で、かつ、フック位置調整部によりフックの鉛直軸周りの回転を押さえた状態として、掛け渡し部の先端側との為す角が鋭角とされたストッパ部によってスリングに対して下方向の力を印加可能な状態で玉掛け治具を下側に移動することで、２本の掛け渡し部の間をフックが通過するようにして、外れ止めの着いたフックであっても、外れ止めを開いてフックにスリングをフックに掛けた後、ストッパ部によるスリングの係止を外すように玉掛け治具を後退移動することで、スリングを玉掛けすることができるとともに、玉外し作業において、スリング掻き出し部をフックの開口から挿入して外れ止め押さえ部によってフックの外れ止めを開いた状態で、摺動部をフックの内側に当接した状態で把持部を回転中心として、掻き出し部をフックの側部に沿って移動させることにより、フックに掛かったスリングをフックから外して、外れ止めの着いたフックであっても、外れ止めに直接作業員が触ることなく、スリングを玉外しすることができ、把持部の長さ分だけフックから離間した位置に作業者が立っていても、玉掛け作業および玉外し作業をいずれも可能とすることができる。
【考案の効果】
【００１５】
本考案によれば、フックに装備された外れ止めが自動化されていない場合であっても、吊り荷に掛け回されたスリングを吊り荷に乗らず離れた位置から確実に掴んで玉掛け玉外しすることができるという効果を奏することができる。
【図面の簡単な説明】
【００１６】
【図１】本考案に係る玉掛け治具の第１実施形態を示す平面図（ａ）、側面図（ｂ）である。
【図２】本考案に係る玉掛け治具の第１実施形態における玉掛け作業の工程を示す斜視図である。
【図３】本考案に係る玉掛け治具の第１実施形態における玉掛け作業の工程を示す斜視図である。
【図４】本考案に係る玉掛け治具の第１実施形態における玉掛け作業の工程を示す斜視図である。
【図５】本考案に係る玉掛け治具の第１実施形態における玉掛け作業の工程を示す斜視図である。
【図６】本考案に係る玉掛け治具の第１実施形態における玉掛け作業の工程を示す斜視図である。
【図７】本考案に係る玉掛け治具の第１実施形態における玉掛け作業の工程を示す斜視図である。
【図８】本考案に係る玉外し治具の第２実施形態を示す平面図（ａ）、側面図（ｂ）である。
【図９】本考案に係る玉外し治具の第２実施形態における玉外し作業の工程を示す斜視図である。
【図１０】本考案に係る玉外し治具の第２実施形態における玉外し作業の工程を示す斜視図である。
【図１１】本考案に係る玉外し治具の第２実施形態における玉外し作業の工程を示す斜視図である。
【図１２】本考案に係る玉掛け玉外し治具の第３実施形態を示す平面図である。
【図１３】本考案に係る実施形態における玉掛け玉外し作業の状況を示す後面図である。
【考案を実施するための形態】
【００１７】
以下、本考案に係る玉掛け治具の第１実施形態を、図面に基づいて説明する。
図１は、本実施形態における玉掛け治具を示す平面図（ａ）、側面図（ｂ）であり、図２〜図７は、本実施形態における玉掛け治具での玉掛け作業の工程を示す斜視図であり、図において、符号１０は、玉掛け治具である。
【００１８】
本実施形態における玉掛け治具１０は、図１３に示すように、例えば、トラックＴの荷台Ｂの上方に位置するフックＨにスリングＳを玉掛けするための治具とされる。
【００１９】
玉掛け作業がおこなわれるフックＨは、図３〜図７に示すように、鉛直軸線となる吊下軸Ｈ１を中心として回転可能に吊下された略Ｃ字形状のリング状とされ、リングの開いた端部Ｈ２側と吊下軸Ｈ１側との間を閉塞する外れ止め片Ｈ３が吊下軸Ｈ１側に回動可能に取り付けられている。外れ止め片Ｈ３は、その先端側が端部Ｈ２に当接するように図示しない付勢部材により付勢されている。フックＨの概形がＣ字形状のリング状の部分は水平方向の軸線を中心とする円弧状とされ、この円弧状の内側となる内面部Ｈ４にスリングＳを掛ける玉掛け作業がおこなわれる。玉掛け作業終了時には、フックＨの側面部Ｈ５，Ｈ５に内面部Ｈ４から垂下したスリングＳが当接する状態となる。
【００２０】
本実施形態における玉掛け治具１０は、図１に示すように、その基端側に延在する棒状の把持部１１と、この把持部１１の先端に設けられて、２本に枝分かれした掛け渡し部１２，１３と、掛け渡し部１２，１３から同じ方向に枝分かれするストッパ部１４，１５とを有する。
【００２１】
掛け渡し部１２，１３は、把持部１１と略同方向として略並行に設けられた２本の棒状部材とされ、先端１２ａ，１３ａ側が互いに離間するとともに基端１２ｂ，１３ｂ側が互いに接続されている。
ストッパ部１４，１５は、これら２本の掛け渡し部１２，１３の先端１２ａ，１３ａと基端１２ｂ，１３ｂとの中間位置から、掛け渡し部１２，１３と交差する方向にそれぞれ略並行として突出する２本の棒状部材とされる。
ストッパ部１４，１５は、掛け渡し部１２，１３の先端１２ａ，１３ａ側との為す角が鋭角となるように設定される。
【００２２】
把持部１１とほぼ一致する直線上に同軸状に延在する側とされる一方の掛け渡し部１２の先端１２ａには、把持部１１の軸線に対して横方向に並行状態に位置する他方の掛け渡し部１３よりも長くなるように延在するフック位置調整部１６が設けられている。フック位置調整部１６は、掛け渡し部１２と略同径の棒状とされる。
フック位置調整部１６の先端には、スリングＳを拾い上げるための拾い上げ部１７が設けられる。拾い上げ部１７は、フック位置調整部１６および掛け渡し部１２と略同径の棒状とされて、把持部１１の軸線に対して掛け渡し部１３の逆方向となる横方向になるように軸線がフック位置調整部１６の軸線と直交するように突出している。
【００２３】
次に、本実施形態における玉掛け治具１０による玉掛け作業を説明する。
まず、玉掛け作業をおこなう場合には、把持部１１を把持して玉掛け治具１０を保持した作業員は、図２に示すように、把持した把持部１１の向きおよび軸線周り角度を調節することで拾い上げ部１７を用いて、地面上あるいは、図１３に示す荷台上に置かれて吊り荷に巻回された状態のスリングＳを引っかける。このとき、フック位置調整部１６にスリングＳを引っかけられるように、拾い上げ部１７の軸方向を上向きとして、掛け渡し部１２が掛け渡し部１３の上側の位置となるように把持部１１の軸周りの回転位置を調節する。
【００２４】
次いで、図３に示すように、把持した把持部１１の向きを調節することで玉掛け治具１０の先端を持ち上げるとともに向きを変えてフック位置調整部１６の先端側を基端側より上側に位置させる。これにより、掛け渡し部１２の先端１２ａが基端１２ｂより上側に位置するようにし、掛け渡し部１２が傾斜する状態として小刻みに動かすことで、フック位置調整部１６に引っ掛かったスリングＳをストッパ部１４に接する掛け渡し部１２の基端１２ｂ側の位置まで移動させる。このとき、もう一方の掛け渡し部１３が、掛け渡し部１２の下側に位置するように把持部１１の軸周りの回転位置を調節する。この回転位置を維持することで、掛け渡し部１３は掛け渡し部１２に引っ掛かったスリングＳの間に位置することになる。なお、掛け渡し部１３付近でも、スリングＳが掛け渡し部１３の基端１３ｂ側でストッパ部１５に接する状態に位置する。
【００２５】
次いで、図４に示すように、把持した把持部１１の向きを調節することで玉掛け治具１０を把持部１１の軸周りに回転させて掛け渡し部１３が掛け渡し部１２とほぼ同じ高さとなるようにする。すると、スリングＳは２本の並行な掛け渡し部１２および掛け渡し部１３の間に掛け渡される。このとき、スリングＳは掛け渡し部１２とストッパ部１４に挟まれるとともに掛け渡し部１３とストッパ部１５と挟まれて、その間の部分が掛け渡し部１２および掛け渡し部１３の間の空間を横断する状態になっている。同時に、拾い上げ部１７は、掛け渡されたスリングＳに略平行な水平方向を向いている。
【００２６】
次いで、図５に示すように、把持した把持部１１によってフック位置調整部１６を操作することで、図５に矢印で示すように、フックＨを押圧して吊下軸Ｈ１を軸線中心としてフックＨを回転させてその向きを調節し、図６に示すように、端部Ｈ２が作業者側に向く状態とする。この際、フック位置調整部１６によって、フックＨの側面部Ｈ５に当接し、側面部Ｈ５がフック位置調整部１６に沿って略平行となるようにフックＨのＣリング部分の軸線方向に押圧することでフックＨが吊下軸Ｈ１を軸線中心として回転する。
【００２７】
次いで、図６に示すように、把持した把持部１１を制御することによって玉掛け治具１０の掛け渡し部１２，１３側を少々持ち上げて、掛け渡し部１２，１３に掛け渡されたスリングＳがフックＨの端部Ｈ２よりも吊下軸Ｈ１側に位置するように調節し、外れ止め片Ｈ３に当接する。そして、把持した把持部１１を制御することによって玉掛け治具１０の掛け渡し部１２，１３側が下向きに移動するように作用力を印加することで、掛け渡し部１２，１３に掛け渡されたスリングＳにより外れ止め片Ｈ３を押圧する。このとき、掛け渡し部１２，１３に掛け渡されたスリングＳは、ストッパ部１４，１５によって上向きに移動することが規制されているため、掛け渡し部１２，１３側が下向きに移動するような作用力が外れ止め片Ｈ３に効率よく伝達される。同時に、フック位置調整部１６をフックＨの側面部Ｈ５に当接した状態を維持することで、フックＨが吊下軸Ｈ１を軸線中心として回転してしまうことを防止し、端部Ｈ２が作業者の方を向いた姿勢を維持し続けることができる。これにより、外れ止め片Ｈ３が図示しない付勢部材の付勢力に打ち勝ってフックＨの内面部Ｈ４側に回動する。
【００２８】
次いで、図７に示すように、把持した把持部１１を制御することによって玉掛け治具１０の掛け渡し部１２，１３側がさらに下向きに移動するように作用力を印加し続けることで、掛け渡し部１２，１３に掛け渡されたスリングＳがフックＨの内面部Ｈ４に当接するまで掛け渡し部１２，１３が下降する。スリングＳによる外れ止め片Ｈ３の押圧が解除された時点で、外れ止め片Ｈ３は付勢力により元の位置に戻り、外れ止め状態となる。
その後、把持した把持部１１を制御することによって玉掛け治具１０を基端部側に引き戻すことでスリングＳがフックＨの内面部Ｈ４と側面部Ｈ５，Ｈ５に当接する状態となり、フックＨに掛けられたスリングＳから掛け渡し部１２，１３を引き抜いて玉掛け作業が終了する。
【００２９】
本実施形態における玉掛け治具１０によれば、２本の掛け渡し部１２，１３にスリングＳを掛け渡すとともにストッパ部１４，１５でスリングＳ位置を規制した状態で、かつ、フック位置調整部１６によりフックＨの吊下軸Ｈ１周りの回転を押さえた状態として、掛け渡し部１２，１３の先端１２ａ，１３ａ側との為す角が鋭角とされたストッパ部１４，１５によってスリングに対して下方向の力を印加可能な状態で玉掛け治具１０を下側に移動することで、２本の掛け渡し部１２，１３の間をフックＨが通過するようにして、フックＨの外れ止め片Ｈ３を開いてスリングＳをフックＨに掛けた後、ストッパ部１４，１５によるスリングＳの係止を外すように玉掛け治具１０を後退移動することで、スリングＳを玉掛けすることができる。このとき、把持部１１の長さ分だけフックＨから離間した位置に作業者が立っていても玉掛け作業を容易に可能とすることができ、フックＨの外れ止め片Ｈ３に直接触ることなく、また、吊り荷に乗らずに玉掛け作業をおこなうことができる。
【００３０】
本実施形態における玉掛け治具１０は、フック位置調整部１６の先端に設けられた拾い上げ部１７によって、玉掛けするスリングＳを拾い上げ部１７で片方の掛け渡し部１２に掛けた後、もう一方の掛け渡し部１３がスリングＳの輪の中に入るようにストッパ部１４，１５の位置までスリングＳを移動して、把持部１１を中心軸として玉掛け治具１０を回転することにより、２本の掛け渡し部１２，１３にスリングＳを掛け渡すことが容易に可能となる。これにより、玉掛け治具１０の長さ分だけ拾い上げるスリングＳから離間した位置に作業者が立っていても、玉掛け作業を可能とすることができ、トラックＴの荷台Ｂ等から離間した位置に作業者が立っていても、スリングＳを拾い上げて荷台Ｂ上に位置するフックＨに対して玉掛け作業をおこなうことが容易となる。
【００３１】
以下、本考案に係る玉外し治具の第２実施形態を、図面に基づいて説明する。
図８は、本実施形態における玉外し治具を示す平面図（ａ）、側面図（ｂ）であり、図９〜図１１は、本実施形態における玉外し治具での玉掛け作業の工程を示す斜視図であり、図において、符号２０は、玉掛け治具である。
【００３２】
本実施形態における玉外し治具２０は、図１３に示すように、例えば、トラックＴの荷台Ｂの上方に位置するフックＨに掛けられたスリングＳを玉外しするための治具とされる。
【００３３】
玉外し作業がおこなわれるフックＨは、図３〜図７に示したフックＨと同等のものとされ、図９〜図１１に示すように、鉛直軸線となる吊下軸Ｈ１を中心として回転可能に吊下された略Ｃ字形状のリング状とされ、リングの開いた端部Ｈ２側と吊下軸Ｈ１側との間を閉塞する外れ止め片Ｈ３が吊下軸Ｈ１側に回動可能に取り付けられている。外れ止め片Ｈ３は、その先端側が端部Ｈ２に当接するように図示しない付勢部材により付勢されている。フックＨの概形がＣ字形状のリング状の部分は水平方向の軸線を中心とする円弧状とされ、この円弧状の内側となる内面部Ｈ４に掛かったスリングＳを外す玉外し作業がおこなわれる。玉外し作業開始時には、フックＨの側面部Ｈ５，Ｈ５に内面部Ｈ４から垂下したスリングＳが当接する状態となっている。
【００３４】
本実施形態における玉外し治具２０は、図８に示すように、その基端側に延在する棒状の把持部２１と、この把持部２１の先端側に設けられて、把持部２１の延在する方向と交差する横方向の両側にそれぞれ突出するスリング掻き出し部２２と、外れ止め押さえ部２３とを有する。
【００３５】
スリング掻き出し部２２は、図８に示すように、フックＨと当接しても外傷を与えない程度の可撓性を有する発泡ウレタンやプラスチック等の樹脂からなる平面視凹字状とされた板状に形成される。
このスリング掻き出し部２２には、把持部２１の延在する軸線方向に離間して把持部２１の軸線位置から略並行に突出する掻き出し部２２ａ，２２ｂと、把持部２１の延在する軸線方向において掻き出し部２２ａ，２２ｂの間に位置し、掻き出し部２２ａ，２２ｂよりも把持部２１からの径方向距離が短く設定された摺動部２２ｃとが設けられる。
【００３６】
掻き出し部２２ａ，２２ｂの対向する内面部２２ｄ，２２ｅは、それぞれ略平行で把持部２１の中心軸線と直交する向きになるよう形成されており、摺動部２２ｃは、把持部２１の中心軸線と略平行な面を有するよう形成されており、これら内面部２２ｄ，２２ｅと摺動部２２ｃとはコ字状をなすように形成されている。対向する内面部２２ｄ，２２ｅの間隔は、フックＨの厚さ寸法、つまり、側面部Ｈ５の最大厚さとほぼ等しいかそれより多少大きくなるように設定される。
【００３７】
外れ止め押さえ部２３は、図８に示すように、略矩形状の可撓性を有するゴムなどの樹脂からなるシート状とされ、把持部２１の延在する軸線方向およびスリング掻き出し部２２と平行な面となるように取り付けられる。外れ止め押さえ部２３の長さ寸法、つまり、把持部２１の軸線から離間する方向の寸法は、フックＨの内面部Ｈ４の直径寸法程度かこれよりやや大きくなるように設定される。厳密には、スリング掻き出し部２２の摺動部２２ｃから外れ止め押さえ部２３の先端までの寸法が、フックＨの内面部Ｈ４の直径寸法程度かこれよりやや大きくなるように設定されることが好ましい。
【００３８】
スリング掻き出し部２２および外れ止め押さえ部２３は、図８に示すように、把持部２１と一体とされた平板状の取り付け部２１ａに対応する部分で平面視して重ねられており、取り付け部２１ａと、この取り付け部２１ａと略同じ輪郭形状とされる取り付け板２１ｂとに挟まれてネジ２１ｃ等によって締結されることで挟み込まれて緊結される。
【００３９】
把持部２１の先端側とされる取り付け部２１ａの先端には、把持部２１の軸線と略平行な向きに延在するフック位置調整部１６が設けられている。把持部２１よりも細い径の棒状とされる。
フック位置調整部１６の先端には、スリングＳを拾い上げるための拾い上げ部１７が設けられる。拾い上げ部１７は、フック位置調整部１６と略同径の棒状とされて、その軸線が把持部２１の軸線およびスリング掻き出し部２２および外れ止め押さえ部２３の平面に対して直交する横方向になるとともに、同時に、その軸線がフック位置調整部１６の軸線と略直交するように横方向に突出している。
【００４０】
次に、本実施形態における玉外し治具２０による玉外し作業を説明する。
玉外し作業をおこなう場合には、まず、把持部２１を把持して玉外し治具２０を保持した作業員は、把持した把持部２１によってフック位置調整部１６を操作することで、玉外し作業をおこなうフックＨを押圧して、吊下軸Ｈ１を軸線中心としてフックＨを回転させてその向きを調節し、図９に示すように、フックＨのＣリング部分の軸線方向が作業者側に向く状態とする。この際、フック位置調整部１６によって、フックＨの側面部Ｈ５や内面部Ｈ４等に当接し、吊下軸Ｈ１と端部Ｈ２との間の外れ止め片Ｈ３の回動軸線が把持部２１の軸線に沿った向きとなるようにする。
【００４１】
次いで、図９に示すように、把持した把持部１１の向きおよび軸線周り角度を調節した状態で、フックＨの吊下軸Ｈ１と端部Ｈ２との間の外れ止め片Ｈ３にスリング掻き出し部２２の摺動部２２ｃを当接してその状態で下向きに押圧し、外れ止め片Ｈ３の付勢力に打ち勝って玉外し治具２０のスリング掻き出し部２２および外れ止め押さえ部２３をフックＨのＣリング部分の内面部Ｈ４の内側に挿入する。
【００４２】
そのまま、把持部２１側を支点として先端側の取り付け部２１ａおよびフック位置調整部１６が下向きに移動するように玉外し治具２０の角度を変化させて、スリング掻き出し部２２の掻き出し部２２ａ，２２ｂがフックＨの両側面部の外側に位置するように玉外し治具２０先端側の取り付け部２１ａおよびフック位置調整部１６を下降させる。このとき、掻き出し部２２ａ，２２ｂは、フックＨの内面部Ｈ４の周方向においてフックＨに掛かったスリングＳよりも、吊下軸Ｈ１側に位置するように挿入される。
【００４３】
また、外れ止め片Ｈ３は、端部Ｈ２との間に外れ止め押さえ部２３が位置した状態となり、外れ止め押さえ部２３の弾性により、外れ止め片Ｈ３の付勢力に逆らって外れ止め片Ｈ３の先端部分と端部Ｈ２とが離間した状態となっている。
【００４４】
次いで、把持部２１の回転軸線を回転中心として把持部２１を捻るように回動させることで、図１０に示すように、フックＨの内面部Ｈ４の周方向においてスリング掻き出し部２２を端部Ｈ２側に回動させる。このとき、スリング掻き出し部２２の掻き出し部２２ａ，２２ｂが、フックＨの側面部Ｈ５に沿ってこのフックＨの内面部Ｈ４の周方向に回動するとともに、スリング掻き出し部２２の摺動部２２ｃがフックＨの内面部Ｈ４に沿って回動する。このとき、掻き出し部２２ａ，２２ｂの内面部２２ｄ，２２ｅは、いずれもフックの側面部Ｈ５に沿って摺動するかその近傍を移動するように、コ字状となったスリング掻き出し部２２の形状によって移動状態を規制された状態が維持されている。
【００４５】
同時に、把持部２１を回動中心として玉外し治具２０が捻るように回動することで、外れ止め押さえ部２３が把持部２１周りで巻き付くように変形しつつフックＨのＣリング部分の内側により一層進入する。これにより、外れ止め押さえ部２３の弾性力によって、外れ止め片Ｈ３がより一層開く方向に変位させる。
【００４６】
次いで、図１１に示すように、把持部２１の回転軸線を回転中心として、さらに把持部２１を捻る回動動作を続けることで、スリング掻き出し部２２がフックＨの内面部Ｈ４の周方向において端部Ｈ２側に回動して、フックＨに掛かっていたスリングＳを端部Ｈ２側に移動する。同時に、外れ止め押さえ部２３が外れ止め片Ｈ３をより一層開く方向に変位させる。
これにより、スリングＳは外れ止め押さえ部２３と端部Ｈ２との隙間から外側に出てフックＨから外れる。その後、掻き出し部２２ａが外れる位置まで把持部２１を捻り戻して玉外し治具２０を引き抜くことで、玉外し作業が終了する。
【００４７】
本実施形態における玉外し治具２０によれば、スリング掻き出し部２２をフックＨの開口から挿入して外れ止め押さえ部２３によってフックＨの外れ止めＨ３を開いた状態で、摺動部２２ｃをフックＨの内面部Ｈ４に沿った状態で把持部２１を回転中心として、掻き出し部２２ａ，２２ｂをフックＨの側面部Ｈ５に沿って内面部Ｈ４の周方向に移動させることにより、フックＨに掛かったスリングＳをフックＨの開口から押し出して、スリングＳをフックＨから外すことができる。これにより、外れ止め片Ｈ３の着いたフックＨであっても、外れ止め片Ｈ３に直接作業員が触ることなく、掛かったスリングＳを玉外しすることができる。このとき、玉外し治具２０の長さ分だけフックＨから離間した位置に作業者が立っていても、玉外し作業を可能とすることができる。
【００４８】
また、本実施形態における玉外し治具２０によれば、把持部２１の延在する方向に突出するフック位置調整部１６が先端に設けられてなることにより、フック位置調整部１６によりフックＨの吊下軸Ｈ１周りの回転を押さえた状態として、スリング掻き出し部２２をフックＨの吊下軸Ｈ１と端部Ｈ２との間となる開口から挿入して外れ止め押さえ部２３によってフックＨの外れ止め片Ｈ３を開いた状態とすることが容易になる。同時にこのフック位置調整部１６により、スリングＳを拾い上げる、あるいは、スリングＳの位置を微調整する等の作業を効率よくおこなうことが可能となる。
【００４９】
以下、本考案に係る玉掛け玉外し治具の第３実施形態を、図面に基づいて説明する。
図１２は、本実施形態における玉掛け玉外し治具を示す平面図であり、図において、符号３０は、玉掛け玉外し治具である。
【００５０】
本実施形態における玉掛け玉外し治具３０は、図１３に示すように、例えば、トラックＴの荷台Ｂの上方に位置するフックＨにスリングＳを玉掛け玉外しするための治具とされる。
【００５１】
本実施形態における玉掛け玉外し治具３０は、図１３に示すように、図８〜図１１に示す玉外し治具２０の先端側に、図１〜図７に示す玉掛け治具１０を接続した形状とされている。
【００５２】
玉掛け玉外し作業がおこなわれるフックＨは、図３〜図７，図９〜図１１に示すように、鉛直軸線となる吊下軸Ｈ１を中心として回転可能に吊下された略Ｃ字形状のリング状とされ、リングの開いた端部Ｈ２側と吊下軸Ｈ１側との間を閉塞する外れ止め片Ｈ３が吊下軸Ｈ１側に回動可能に取り付けられている。外れ止め片Ｈ３は、その先端側が端部Ｈ２に当接するように図示しない付勢部材により付勢されている。フックＨの概形がＣ字形状のリング状の部分は水平方向の軸線を中心とする円弧状とされ、この円弧状の内側となる内面部Ｈ４にスリングＳを掛ける玉掛け作業と内面部Ｈ４に掛かったスリングＳを外す玉外し作業がおこなわれる。玉掛け作業終了時には、フックＨの側面部Ｈ５，Ｈ５に内面部Ｈ４から垂下したスリングＳが当接する状態となる。また、玉外し作業開始時には、フックＨの側面部Ｈ５，Ｈ５に内面部Ｈ４から垂下したスリングＳが当接する状態となっている。
【００５３】
本実施形態における玉掛け玉外し治具３０は、図１２に示すように、その基端側に延在する棒状の把持部２１と、この把持部２１の先端側に設けられて、把持部２１の延在する方向と交差する横方向の両側にそれぞれ突出するスリング掻き出し部２２と、外れ止め押さえ部２３とを有する。
【００５４】
スリング掻き出し部２２は、図１２に示すように、フックＨと当接しても外傷を与えない程度の可撓性を有する発泡ウレタンやプラスチック等の樹脂からなる平面視凹字状とされた板状に形成される。
このスリング掻き出し部２２には、把持部２１の延在する軸線方向に離間して把持部２１の軸線位置から略並行に突出する掻き出し部２２ａ，２２ｂと、把持部２１の延在する軸線方向において掻き出し部２２ａ，２２ｂの間に位置し、掻き出し部２２ａ，２２ｂよりも把持部２１からの径方向距離が短く設定された摺動部２２ｃとが設けられる。
【００５５】
掻き出し部２２ａ，２２ｂ互いにの対向する内面部２２ｄ，２２ｅは、それぞれ略平行で把持部２１の中心軸線と直交する向きになるよう形成されており、摺動部２２ｃは、把持部２１の中心軸線と略平行な面を有するよう形成されており、これら内面部２２ｄ，２２ｅと摺動部２２ｃとはコ字状をなすように形成されている。対向する内面部２２ｄ，２２ｅの間隔は、フックＨの厚さ寸法、つまり、側面部Ｈ５の最大厚さとほぼ等しいかそれより多少大きくなるように設定される。
【００５６】
外れ止め押さえ部２３は、図１２に示すように、略矩形状の可撓性を有するゴムなどの樹脂からなるシート状とされ、把持部２１の延在する軸線方向およびスリング掻き出し部２２と平行な面となるように取り付けられる。外れ止め押さえ部２３の長さ寸法、つまり、把持部２１の軸線から離間する方向の寸法は、フックＨの内面部Ｈ４の直径寸法程度かこれよりやや大きくなるように設定される。厳密には、スリング掻き出し部２２の摺動部２２ｃから外れ止め押さえ部２３の先端までの寸法が、フックＨの内面部Ｈ４の直径寸法程度かこれよりやや大きくなるように設定されることが好ましい。
【００５７】
スリング掻き出し部２２および外れ止め押さえ部２３は、図１２に示すように、把持部２１と一体とされた平板状の取り付け部２１ａに対応する部分で平面視して重ねられており、取り付け部２１ａと、この取り付け部２１ａと略同じ輪郭形状とされる取り付け板とに挟まれてネジ２１ｃ等によって締結されることで挟み込まれて緊結される。
【００５８】
把持部２１の先端側とされる取り付け部２１ａの先端には、２本に枝分かれした掛け渡し部１２，１３と、掛け渡し部１２，１３から同じ方向に枝分かれするストッパ部１４，１５とが設けられている。
【００５９】
掛け渡し部１２，１３は、把持部１１と略同方向として略並行に設けられた２本の棒状部材とされ、先端１２ａ，１３ａ側が互いに離間するとともに基端１２ｂ，１３ｂ側が互いに接続されている。
ストッパ部１４，１５は、これら２本の掛け渡し部１２，１３の先端１２ａ，１３ａと基端１２ｂ，１３ｂとの中間位置から、掛け渡し部１２，１３と交差する方向にそれぞれ略並行として突出する２本の棒状部材とされる。
ストッパ部１４，１５は、掛け渡し部１２，１３の先端１２ａ，１３ａ側との為す角が鋭角となるように設定される。
【００６０】
把持部１１とほぼ一致する直線上に同軸状に延在する側とされる一方の掛け渡し部１２の先端１２ａには、把持部１１の軸線に対して横方向に並行状態に位置する他方の掛け渡し部１３よりも長くなるように延在するフック位置調整部１６が設けられている。フック位置調整部１６は、掛け渡し部１２と略同径の棒状とされる。
フック位置調整部１６の先端には、スリングＳを拾い上げるための拾い上げ部１７が設けられる。拾い上げ部１７は、フック位置調整部１６および掛け渡し部１２と略同径の棒状とされて、把持部１１の軸線に対して掛け渡し部１３の逆方向となる横方向になるように軸線がフック位置調整部１６の軸線と直交するように突出している。
【００６１】
次に、本実施形態における玉掛け玉外し治具３０による玉掛け作業を説明する。なお、図３〜図７においては、スリング掻き出し部２２と外れ止め押さえ部２３とを省略しており図示していない。また、以下の玉掛け作業の説明において把持部１１は、把持部２１と読み替え、玉掛け治具１０は玉掛け玉外し治具３０と読み替えるものとする。
【００６２】
まず、玉掛け作業をおこなう場合には、把持部１１を把持して玉掛け治具１０を保持した作業員は、図２に示すように、把持した把持部１１の向きおよび軸線周り角度を調節することで拾い上げ部１７を用いて、地面上あるいは、図１３に示す荷台上に置かれて吊り荷に巻回された状態のスリングＳを引っかける。このとき、フック位置調整部１６にスリングＳを引っかけられるように、拾い上げ部１７の軸方向を上向きとして、掛け渡し部１２が掛け渡し部１３の上側の位置となるように把持部１１の軸周りの回転位置を調節する。
【００６３】
次いで、図３に示すように、把持した把持部１１の向きを調節することで玉掛け治具１０の先端を持ち上げるとともに向きを変えてフック位置調整部１６の先端側を基端側より上側に位置させる。これにより、掛け渡し部１２の先端１２ａが基端１２ｂより上側に位置するようにし、掛け渡し部１２が傾斜する状態として小刻みに動かすことで、フック位置調整部１６に引っ掛かったスリングＳをストッパ部１４に接する掛け渡し部１２の基端１２ｂ側の位置まで移動させる。このとき、もう一方の掛け渡し部１３が、掛け渡し部１２の下側に位置するように把持部１１の軸周りの回転位置を調節する。この回転位置を維持することで、掛け渡し部１３は掛け渡し部１２に引っ掛かって吊り下がった２本のスリングＳの間に位置することになる。なお、掛け渡し部１３付近でも、スリングＳが掛け渡し部１３の基端１３ｂ側でストッパ部１５に接する状態に位置するようにする。
【００６４】
次いで、図４に示すように、把持した把持部１１の向きを調節することで玉掛け治具１０を把持部１１の軸周りに回転させて掛け渡し部１３が掛け渡し部１２とほぼ同じ高さとなるようにする。すると、スリングＳは２本の並行な掛け渡し部１２および掛け渡し部１３の間に掛け渡される。このとき、スリングＳは掛け渡し部１２とストッパ部１４に挟まれるとともに掛け渡し部１３とストッパ部１５と挟まれて、その間の部分が掛け渡し部１２および掛け渡し部１３の間の空間を横断する状態になっている。同時に、拾い上げ部１７は、掛け渡されたスリングＳに略平行な水平方向を向いている。
【００６５】
次いで、図５に示すように、把持した把持部１１によってフック位置調整部１６を操作することで、図５に矢印で示すように、フックＨを押圧して吊下軸Ｈ１を軸線中心としてフックＨを回転させてその向きを調節し、図６に示すように、端部Ｈ２が作業者側に向く状態とする。この際、フック位置調整部１６によって、フックＨの側面部Ｈ５に当接し、側面部Ｈ５がフック位置調整部１６に沿って略平行となるようにフックＨのＣリング部分の軸線方向に押圧することでフックＨが吊下軸Ｈ１を軸線中心として回転する。
【００６６】
次いで、図６に示すように、把持した把持部１１を制御することによって玉掛け治具１０の掛け渡し部１２，１３側を少々持ち上げて、掛け渡し部１２，１３に掛け渡されたスリングＳがフックＨの端部Ｈ２よりも吊下軸Ｈ１側に位置するように調節し、外れ止め片Ｈ３に当接する。そして、把持した把持部１１を制御することによって玉掛け治具１０の掛け渡し部１２，１３側が下向きに移動するように作用力を印加することで、掛け渡し部１２，１３に掛け渡されたスリングＳにより外れ止め片Ｈ３を押圧する。このとき、掛け渡し部１２，１３に掛け渡されたスリングＳは、ストッパ部１４，１５によって上向きに移動することが規制されているため、掛け渡し部１２，１３側が下向きに移動するような作用力が外れ止め片Ｈ３に効率よく伝達される。同時に、フック位置調整部１６をフックＨの側面部Ｈ５に当接した状態を維持することで、フックＨが吊下軸Ｈ１を軸線中心として回転してしまうことを防止し、端部Ｈ２が作業者の方を向いた姿勢を維持し続けることができる。これにより、外れ止め片Ｈ３が図示しない付勢部材の付勢力に打ち勝ってフックＨの内面部Ｈ４側に回動する。
【００６７】
次いで、図７に示すように、把持した把持部１１を制御することによって玉掛け治具１０の掛け渡し部１２，１３側がさらに下向きに移動するように作用力を印加し続けることで、掛け渡し部１２，１３に掛け渡されたスリングＳがフックＨの内面部Ｈ４に当接するまで掛け渡し部１２，１３が下降する。スリングＳによる外れ止め片Ｈ３の押圧が解除された時点で、外れ止め片Ｈ３は付勢力により元の位置に戻り、外れ止め状態となる。
その後、把持した把持部１１を制御することによって玉掛け治具１０を基端部側に引き戻すことでスリングＳがフックＨの内面部Ｈ４と側面部Ｈ５，Ｈ５に当接する状態となり、フックＨに掛けられたスリングＳから掛け渡し部１２，１３を引き抜いて玉掛け作業が終了する。
【００６８】
次に、本実施形態における玉外し治具２０による玉外し作業を説明する。なお、図９〜図１１においては、掛け渡し部１２，１３とストッパ部１４，１５とを省略しており図示していない。また、以下の玉外し作業の説明において玉外し治具２０は玉掛け玉外し治具３０と読み替えるものとする。
【００６９】
玉外し作業をおこなう場合には、まず、把持部２１を把持して玉外し治具２０を保持した作業員は、把持した把持部２１によってフック位置調整部１６を操作することで、玉外し作業をおこなうフックＨを押圧して、吊下軸Ｈ１を軸線中心としてフックＨを回転させてその向きを調節し、図９に示すように、フックＨのＣリング部分の軸線方向が作業者側に向く状態とする。この際、フック位置調整部１６によって、フックＨの側面部Ｈ５や内面部Ｈ４等に当接し、吊下軸Ｈ１と端部Ｈ２との間の外れ止め片Ｈ３の回動軸線が把持部２１の軸線に沿った向きとなるようにする。
【００７０】
次いで、図９に示すように、把持した把持部１１の向きおよび軸線周り角度を調節した状態で、フックＨの吊下軸Ｈ１と端部Ｈ２との間の外れ止め片Ｈ３にスリング掻き出し部２２の摺動部２２ｃを当接してその状態で下向きに押圧し、外れ止め片Ｈ３の付勢力に打ち勝って玉外し治具２０のスリング掻き出し部２２および外れ止め押さえ部２３をフックＨのＣリング部分の内面部Ｈ４の内側に挿入する。
【００７１】
そのまま、把持部２１側を支点として先端側の取り付け部２１ａおよびフック位置調整部１６が下向きに移動するように玉外し治具２０の角度を変化させて、スリング掻き出し部２２の掻き出し部２２ａ，２２ｂがフックＨの両側面部の外側に位置するように玉外し治具２０先端側の取り付け部２１ａおよびフック位置調整部１６を下降させる。このとき、掻き出し部２２ａ，２２ｂは、フックＨの内面部Ｈ４の周方向においてフックＨに掛かったスリングＳよりも、吊下軸Ｈ１側に位置するように挿入される。
【００７２】
また、外れ止め片Ｈ３は、その先端と端部Ｈ２との間に外れ止め押さえ部２３が位置した状態となり、外れ止め押さえ部２３の弾性により、外れ止め片Ｈ３の付勢力に逆らって外れ止め片Ｈ３の先端部分と端部Ｈ２とが離間した状態となっている。
【００７３】
次いで、把持部２１の回転軸線を回転中心として把持部２１を捻るように回動させることで、図１０に示すように、フックＨの内面部Ｈ４の周方向においてスリング掻き出し部２２を端部Ｈ２側に回動させる。このとき、スリング掻き出し部２２の掻き出し部２２ａ，２２ｂが、フックＨの側面部Ｈ５に沿ってこのフックＨの内面部Ｈ４の周方向に回動するとともに、スリング掻き出し部２２の摺動部２２ｃがフックＨの内面部Ｈ４に沿って回動する。このとき、掻き出し部２２ａ，２２ｂの内面部２２ｄ，２２ｅは、いずれもフックの側面部Ｈ５に沿って摺動するかその近傍を移動するように、コ字状となったスリング掻き出し部２２の形状によって移動状態を規制された状態が維持されている。
【００７４】
同時に、把持部２１を回動中心として玉外し治具２０が捻るように回動することで、外れ止め押さえ部２３が把持部２１周りで巻き付くように変形しつつフックＨのＣリング部分の内側により一層進入する。これにより、外れ止め押さえ部２３の弾性力によって、外れ止め片Ｈ３がより一層開く方向に変位させる。
【００７５】
次いで、図１１に示すように、把持部２１の回転軸線を回転中心として、さらに把持部２１を捻る回動動作を続けることで、スリング掻き出し部２２がフックＨの内面部Ｈ４の周方向において端部Ｈ２側に回動して、フックＨに掛かっていたスリングＳを端部Ｈ２側に移動する。同時に、外れ止め押さえ部２３が外れ止め片Ｈ３をより一層開く方向に変位させる。
これにより、スリングＳは外れ止め押さえ部２３と端部Ｈ２との隙間から外側に出てフックＨから外れる。その後、掻き出し部２２ａが外れる位置まで把持部２１を捻り戻して玉外し治具２０を引き抜くことで、玉外し作業が終了する。
【００７６】
本実施形態における玉掛け玉外し治具３０によれば、２本の掛け渡し部１２，１３にスリングＳを掛け渡すとともにストッパ部１４，１５でスリングＳ位置を規制した状態で、かつ、フック位置調整部１６によりフックＨの吊下軸Ｈ１周りの回転を押さえた状態として、掛け渡し部１２，１３の先端１２ａ，１３ａ側との為す角が鋭角とされたストッパ部１４，１５によってスリングに対して下方向の力を印加可能な状態で玉掛け玉外し治具３０を下側に移動することで、２本の掛け渡し部１２，１３の間をフックＨが通過するようにして、フックＨの外れ止め片Ｈ３を開いてスリングＳをフックＨに掛けた後、ストッパ部１４，１５によるスリングＳの係止を外すように玉掛け玉外し治具３０を後退移動することで、スリングＳを玉掛けすることができる。このとき、玉掛け玉外し治具３０の長さ分だけフックＨから離間した位置に作業者が立っていても玉掛け作業を容易に可能とすることができ、フックＨの外れ止め片Ｈ３に直接触ることなく、また、吊り荷に乗らずに玉掛け作業をおこなうことができる。
【００７７】
本実施形態における玉掛け玉外し治具３０によれば、スリング掻き出し部２２をフックＨの開口から挿入して外れ止め押さえ部２３によってフックＨの外れ止めＨ３を開いた状態で、摺動部２２ｃをフックＨの内面部Ｈ４に沿った状態で把持部２１を回転中心として、掻き出し部２２ａ，２２ｂをフックＨの側面部Ｈ５に沿って内面部Ｈ４の周方向に移動させることにより、フックＨに掛かったスリングＳをフックＨの開口から押し出して、スリングＳをフックＨから外すことができる。これにより、外れ止め片Ｈ３の着いたフックＨであっても、外れ止め片Ｈ３に直接作業員が触ることなく、掛かったスリングＳを玉外しすることができる。このとき、玉掛け玉外し治具３０の長さ分だけフックＨから離間した位置に作業者が立っていても、玉外し作業を可能とすることができる。
【００７８】
本実施形態における玉掛け玉外し治具３０は、フック位置調整部１６の先端に設けられた拾い上げ部１７によって、玉掛けするスリングＳを拾い上げ部１７で片方の掛け渡し部１２に掛けた後、もう一方の掛け渡し部１３がスリングＳの輪の中に入るようにストッパ部１４，１５の位置までスリングＳを移動して、把持部１１を中心軸として玉掛け治具１０を回転することにより、２本の掛け渡し部１２，１３にスリングＳを掛け渡すことが容易に可能となる。
また、本実施形態における玉掛け玉外し治具３０によれば、把持部２１の延在する方向に突出する掛け渡し部１２およびフック位置調整部１６が先端に設けられてなることにより、掛け渡し部１２およびフック位置調整部１６によりフックＨの吊下軸Ｈ１周りの回転を押さえた状態として、スリング掻き出し部２２をフックＨの吊下軸Ｈ１と端部Ｈ２との間となる開口から挿入して外れ止め押さえ部２３によってフックＨの外れ止め片Ｈ３を開いた状態とすることが容易になる。
【００７９】
これにより、玉掛け玉外し治具３０の長さ分だけ拾い上げるスリングＳから離間した位置に作業者が立っていても、玉掛け玉外し玉掛け作業を可能とすることができ、トラックＴの荷台Ｂ等から離間した位置に作業者が立っていても、荷台Ｂ上に位置するフックＨに対する玉掛け玉外し作業をおこなうことが容易となる。
同時にこの拾い上げ部１７およびフック位置調整部１６により、スリングＳを拾い上げる、あるいは、スリングＳの位置を微調整する等の作業を効率よくおこなうことが可能となる。
【符号の説明】
【００８０】
１０…玉掛け治具、１１…把持部、１２，１３…掛け渡し部、１４，１５…ストッパ部、１６…フック位置調整部、１７…拾い上げ部、２０…玉外し治具、２１…把持部、２２…スリング掻き出し部、２２ａ，２２ｂ…掻き出し部、２２ｃ…摺動部、２３…外れ止め押さえ部、Ｈ…フック、Ｈ１…吊下軸、Ｈ２…端部、Ｈ３…外れ止め片、Ｈ４…内面部、Ｈ５…側面部、Ｓ…スリング。
【図１】
0003201261.tif 000003
【図２】
0003201261.tif 000004
【図３】
0003201261.tif 000005
【図４】
0003201261.tif 000006
【図５】
0003201261.tif 000007
【図６】
0003201261.tif 000008
【図７】
0003201261.tif 000009
【図８】
0003201261.tif 000010
【図９】
0003201261.tif 000011
【図１０】
0003201261.tif 000012
【図１１】
0003201261.tif 000013
【図１２】
0003201261.tif 000014
【図１３】
0003201261.tif 000015
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
フックに掛かったスリングを玉外しする治具であって、
基端側に延在する把持部と、先端側に位置して前記把持部の延在する方向と交差する横方向の両側にそれぞれ突出するスリング掻き出し部と、外れ止め押さえ部とが設けられ、
前記スリング掻き出し部が、前記把持部の延在する方向に離間して前記把持部から略並行に突出し、それぞれ対向する内側部分が前記フックの側面部に沿って移動されることで前記フックに掛かった前記スリングをそれぞれ前記フックの側面部に沿って外す掻き出し部と、これらの掻き出し部の間でフックの内面部に当接して摺動可能とされる摺動部とからなる平面視凹字状となる板状とされ、
前記外れ止め押さえ部が、前記把持部の延在する方向に面を有する枚葉状とされて、前記把持部に対して前記スリング掻き出し部と逆側に突出する可撓性を有するシート状とされることを特徴とする玉外し治具。
【請求項２】
前記把持部の延在する方向に突出するフック位置調整部が先端に設けられてなることを特徴とする請求項１記載の玉外し治具。
【請求項３】
請求項１または２記載の玉外し治具であって、
先端側が離間して基端側で接続されるように略並行な２本の掛け渡し部と、これら２本の掛け渡し部の先端と基端との中間位置から前記掛け渡し部と交差する方向にそれぞれ略並行として突出するストッパ部と、前記掛け渡し部と略同方向として基端側に延在する把持部とが設けられ、
前記ストッパ部と前記掛け渡し部の先端側との為す角が鋭角とされ、
前記２本の掛け渡し部のうち一方の先端には、他方の掛け渡し部よりも長くなるように延在するフック位置調整部が設けられて玉掛け可能とされ、
前記ストッパ部よりも基端側に、前記スリング掻き出し部と前記外れ止め押さえ部が設けられたことを特徴とする玉外し治具。
【請求項４】
前記フック位置調整部の先端には、前記スリングを拾い上げるための拾い上げ部が設けられてなることを特徴とする請求項３記載の玉外し治具。
【手続補正３】
【補正対象書類名】明細書
【補正対象項目名】０００１
【補正方法】変更
【補正の内容】
【０００１】
本考案は、玉外し治具に係り、特に、重量物を運搬するトラックの荷台等における玉掛け玉外し作業に用いて好適な技術に関する。
【手続補正４】
【補正対象書類名】明細書
【補正対象項目名】０００８
【補正方法】変更
【補正の内容】
【０００８】
本考案は、上述した事情に鑑みてなされたものであって、その目的は、フックに装備された外れ止めが自動化されていない場合であっても、吊り荷に掛け回されたスリングを吊り荷に乗らず離れた位置から確実に掴んで玉掛け玉外しすることができる治具を提供することにある。
【手続補正５】
【補正対象書類名】明細書
【補正対象項目名】０００９
【補正方法】変更
【補正の内容】
【０００９】
本考案の玉外し治具は、フックに掛かったスリングを玉外しする治具であって、
基端側に延在する把持部と、先端側に位置して前記把持部の延在する方向と交差する横方向の両側にそれぞれ突出するスリング掻き出し部と、外れ止め押さえ部とが設けられ、
前記スリング掻き出し部が、前記把持部の延在する方向に離間して前記把持部から略並行に突出し、それぞれ対向する内側部分が前記フックの側面部に沿って移動されることで前記フックに掛かった前記スリングをそれぞれ前記フックの側面部に沿って外す掻き出し部と、これらの掻き出し部の間でフックの内面部に当接して摺動可能とされる摺動部とからなる平面視凹字状となる板状とされ、
前記外れ止め押さえ部が、前記把持部の延在する方向に面を有する枚葉状とされて、前記把持部に対して前記スリング掻き出し部と逆側に突出する可撓性を有するシート状とされることが可能である。
また、本考案において、前記把持部の延在する方向に突出するフック位置調整部が先端に設けられてなる手段を採用することもできる。
本考案においては、上記の玉外し治具であって、先端側が離間して基端側で接続されるように略並行な２本の掛け渡し部と、これら２本の掛け渡し部の先端と基端との中間位置から前記掛け渡し部と交差する方向にそれぞれ略並行として突出するストッパ部と、前記掛け渡し部と略同方向として基端側に延在する把持部とが設けられ、前記ストッパ部と前記掛け渡し部の先端側との為す角が鋭角とされ、前記２本の掛け渡し部のうち一方の先端には、他方の掛け渡し部よりも長くなるように延在するフック位置調整部が設けられて玉掛け可能とされ、前記ストッパ部よりも基端側に、前記スリング掻き出し部と前記外れ止め押さえ部が設けられたことができる。
本考案において、前記フック位置調整部の先端には、前記スリングを拾い上げるための拾い上げ部が設けられてなることがより好ましい。